(57)【要約】      （修正有）【課題】再生データの再生位置の詳細な調整を容易に実施することができる電子装置を提供する。【解決手段】車載装置のタッチパネル機能を備えた表示部１４０に動画等の再生データが表示されるとき、再生データの再生時間の総量を表す再生バー１４２及び再生位置を表すポインター１４４が画面の底部のＸ方向に表示される。ユーザーが再生バー１４２からＹ方向へスライド操作を行うと、表示部１４０には、ジョグダイアル１４８が表示され、ユーザーは、ジョグダイアル１４８に沿って円形方向のスライド操作を行うことでポインター１４４を前後に移動させることができる。【選択図】図４
2016218764.tif 000002
【特許請求の範囲】
【請求項１】
物体の接近または接触によりユーザー操作を入力するタッチパネル入力機能を備えた表示手段と、
前記表示手段にデータが再生されるとき、データの再生位置を表し、かつ第１の方向にスライド可能な第１の指標を表示する第１の指標表示手段と、
前記第１の指標を始点とする前記第１の方向と異なる第２の方向へのスライド操作を検出する第１の検出手段と、
前記第１の検出手段により第２の方向のスライド操作が検出されたとき、円形方向のスライドにより第１の指標をスライドさせることが可能な第２の指標を表示する第２の指標表示手段と、
前記第１の指標の位置に応じて再生位置を調整する再生位置調整手段と、
を有する電子装置。
【請求項２】
電子装置はさらに、前記第２の指標の円形方向のスライドを検出する第２の検出手段を含み、前記第１の指標表示手段は、第２の検出手段の検出結果に基づき第１の指標を第１の方向にスライドさせる、請求項１に記載の電子装置。
【請求項３】
電子装置はさらに、第２の方向のスライド操作の停止時間を測定する停止時間測定手段を含み、当該停止時間が閾値以上であるとき、第２の指標表示手段は、第２の指標を表示する、請求項１または２に記載の電子装置。
【請求項４】
電子装置はさらに、第２の方向のスライド操作の停止位置を測定する停止位置測定手段と、当該停止位置測定手段の測定結果に基づき第２の指標の操作感度を決定する操作感度決定手段とを含む、請求項１ないし３いずれか１つに記載の電子装置。
【請求項５】
第２の指標表示手段は、前記操作感度決定手段により決定された操作感度に応じた第２の指標を表示する、請求項４に記載の電子装置。
【請求項６】
前記第１の指標は、再生するデータの再生時間を表す再生バーと、再生位置を表すポインターとを含む、請求項１ないし５いずれか１つに記載の電子装置。
【請求項７】
前記第２の指標は、円形のジョグダイアルである、請求項１ないし６いずれか１つに記載の電子装置。
【請求項８】
前記ジョグダイアルの一周のスライド操作は、前記再生データの残りの再生時間に等しい、請求項７に記載の電子装置。
【請求項９】
前記第１の方向は、前記表示手段のＸ方向であり、前記第２の方向は、前記表示手段のＹ方向である、請求項１ないし８いずれか１つに記載の電子装置。
【請求項１０】
物体の接近または接触によりユーザー操作を入力するタッチパネル入力機能を備えた表示手段を備えた電子装置が実行する再生制御プログラムであって、
前記表示手段にデータが再生されるとき、データの再生位置を表し、かつ第１の方向にスライド可能な第１の指標を表示するステップと、
前記第１の指標を始点とする前記第１の方向と異なる第２の方向へのスライド操作を検出するステップと、
前記第２の方向のスライド操作が検出されたとき、円形方向のスライドにより第１の指標をスライドさせることが可能な第２の指標を表示するステップと、
前記第１の指標の位置に応じて再生位置を調整するステップと、
を有する再生制御プログラム。
【請求項１１】
物体の接近または接触によりユーザー操作を入力するタッチパネル入力機能を備えた表示手段を備えた電子装置における再生制御方法であって、
前記表示手段にデータが再生されるとき、データの再生位置を表し、かつ第１の方向にスライド可能な第１の指標を表示するステップと、
前記第１の指標を始点とする前記第１の方向と異なる第２の方向へのスライド操作を検出するステップと、
前記第２の方向のスライド操作が検出されたとき、円形方向のスライドにより第１の指標をスライドさせることが可能な第２の指標を表示するステップと、
前記第１の指標の位置に応じて再生位置を調整するステップと、
を有する再生制御方法。
【発明の詳細な説明】
【技術分野】
【０００１】
本発明は、タッチパネル式の表示装置を備えた電子装置に関し、特に、ユーザー操作による映像等のデータの再生位置を調整する方法に関する。
【背景技術】
【０００２】
技術の発展に伴い、従来のパーソナルコンピューターだけでなく、スマートフォンを代表とする携帯型情報端末、タブレット型端末を用いて動画像データを再生し、様々な場所で動画像の視聴を楽しむことができるようになっている。また、車両内においては、カーナビゲーション機能を有する車載装置等を用いて、動画像の視聴を行うことも可能となっている。
【０００３】
動画データの視聴に当たっては、再生データのどの位置を再生しているのかを示す再生バーを表示し、ユーザーに再生位置を把握させるものが多い。ユーザーは、再生バー上を移動するポインターやカーソルの位置を視認することにより、直感的に再生位置や残りの再生時間を把握することができる。また、ポインターの移動に合わせて、再生時間を表示するものもある。ユーザーは、再生バー上のポインター等をタッチスライド操作することにより、所望の場面に再生位置を調整することができる。
【０００４】
このような状況下では、ユーザーの所望の場面をより詳細に探索するため、フレーム単位の探索等、より細かい単位での探索が望まれる。特許文献１には、マウスによるドラック操作で円弧を描くことにより、当該円弧状の操作を特定操作と判別し、フレーム送り等の操作を行うことができる再生装置が開示されている。
【先行技術文献】
【特許文献】
【０００５】
【特許文献１】特開２０１０−２１２９０１号公報
【発明の概要】
【発明が解決しようとする課題】
【０００６】
図１４は、従来技術における、タッチパネル機能を備えた表示部１に、動画等の再生位置や再生時間の総量を示す再生バー２と、動画の再生位置を表すポインター３が表示されている様子を示している。再生バー２の左端にある「Ｓ」は、再生の開始位置であり、右端にある「Ｅ」は、再生の終了位置である。ユーザーの手等の指示体４によりポインター３をタッチし、再生バー２上を左右方向（Ｘ軸方向）にスライド操作することで動画をコマ送りまたはコマ戻しし、所望の再生位置を調整することができる。右方向のスライド操作は、動画のコマ送りを意味し、左方向のスライド操作は、動画のコマ戻しを意味する。再生バー２上のポインター３のスライド操作による再生位置の調整は、解像度に限りがあるため、細かな調整はできない。そこで、指示体４をＹ方向に距離Ｒ１だけスライドさせ、そこからさらに矢印５で示すように、左右方向（Ｘ軸方向）にスライド操作することで、ポインター３のより詳細な再生位置を指定することができる。例えば、再生バー２上のポインター３をＸ方向に１ｃｍだけスライド操作させたとき、１００秒のコマ送りできたと仮定すると、Ｙ方向の距離Ｒ１の位置からＸ方向に同じ距離だけスライド操作させれば、１０秒の詳細なコマ送りをすることができる。さらに、Ｙ方向に距離Ｒ１よりも大きい距離Ｒ２の位置から、矢印６に示すように、左右方向（Ｘ軸方向）にスライド操作させれば、距離Ｒ１のときよりも、さらに詳細なコマ送り／戻しが可能となる。
【０００７】
また、図１５（Ａ）に示すように、距離Ｒ１の位置からＸ方向に距離Ｒ３だけスライド操作させ、画面の左端Ｐｙに到達したとき、ポインター３が再生位置Ｐ２で止まってしまうことがある。この場合、画面の左端Ｐｙから上下方向にスライドさせると、ポインター３の再生位置Ｐ２をさらに前後に移動させることができる。左端Ｐｙから上下方向にスライドできる上限は、画面の下端または上端までの距離Ｒ４、Ｒ５であり、左端Ｐｙから画面の下端までの距離Ｒ４が、残りの再生時間（再生位置Ｐ２から終了位置Ｅまでの距離）となる。目的とする再生位置Ｐ３が、再生位置Ｐ２と終了位置Ｅとの間にあるとき、距離Ｒ４によっては、ポインター３を再生位置Ｐ３に詳細な調整をすることができないという課題がある。
【０００８】
本発明は、このような従来の課題を解決するものであり、従来と比較して、映像等のデータの再生位置を容易にかつ詳細に調整することができる電子装置、再生制御プログラム、および再生制御方法を提供することを目的とする。
【課題を解決するための手段】
【０００９】
本発明に係る電子装置は、物体の接近または接触によりユーザー操作を入力するタッチパネル入力機能を備えた表示手段と、前記表示手段にデータが再生されるとき、データの再生位置を表し、かつ第１の方向にスライド可能な第１の指標を表示する第１の指標表示手段と、前記第１の指標を始点とする前記第１の方向と異なる第２の方向へのスライド操作を検出する第１の検出手段と、前記第１の検出手段により第２の方向のスライド操作が検出されたとき、円形方向のスライドにより第１の指標をスライドさせることが可能な第２の指標を表示する第２の指標表示手段と、前記第１の指標の位置に応じて再生位置を調整する再生位置調整手段と、を有する。
【００１０】
好ましくは電子装置はさらに、前記第２の指標の円形方向のスライドを検出する第２の検出手段を含み、前記第１の指標表示手段は、第２の検出手段の検出結果に基づき第１の指標を第１の方向にスライドさせる。好ましくは電子装置はさらに、第２の方向のスライド操作の停止時間を測定する停止時間測定手段を含み、当該停止時間が閾値以上であるとき、第２の指標表示手段は、第２の指標を表示する。好ましくは電子装置はさらに、第２の方向のスライド操作の停止位置を測定する停止位置測定手段と、当該停止位置測定手段の測定結果に基づき第２の指標の操作感度を決定する操作感度決定手段とを含む。好ましくは第２の指標表示手段は、前記操作感度決定手段により決定された操作感度に応じた第２の指標を表示する。好ましくは前記第１の指標は、再生するデータの再生時間を表す再生バーと、再生位置を表すポインターとを含む。好ましくは前記第２の指標は、円形のジョグダイアルである。好ましくは前記ジョグダイアルの一周のスライド操作は、前記再生データの残りの再生時間に等しい。好ましくは前記第１の方向は、前記表示手段のＸ方向であり、前記第２の方向は、前記表示手段のＹ方向である。
【００１１】
本発明に係る再生制御プログラムは、物体の接近または接触によりユーザー操作を入力するタッチパネル入力機能を備えた表示手段を備えた電子装置が実行するものであって、前記表示手段にデータが再生されるとき、データの再生位置を表し、かつ第１の方向にスライド可能な第１の指標を表示するステップと、前記第１の指標を始点とする前記第１の方向と異なる第２の方向へのスライド操作を検出するステップと、前記第２の方向のスライド操作が検出されたとき、円形方向のスライドにより第１の指標をスライドさせることが可能な第２の指標を表示するステップと、前記第１の指標の位置に応じて再生位置を調整するステップと、を有する。
【００１２】
本発明に係る再生制御方法は、物体の接近または接触によりユーザー操作を入力するタッチパネル入力機能を備えた表示手段を備えた電子装置におけるものであって、前記表示手段にデータが再生されるとき、データの再生位置を表し、かつ第１の方向にスライド可能な第１の指標を表示するステップと、前記第１の指標を始点とする前記第１の方向と異なる第２の方向へのスライド操作を検出するステップと、前記第２の方向のスライド操作が検出されたとき、円形方向のスライドにより第１の指標をスライドさせることが可能な第２の指標を表示するステップと、前記第１の指標の位置に応じて再生位置を調整するステップと、を有する。
【発明の効果】
【００１３】
本発明によれば、円形方向のスライドにより第１の指標をスライド可能な第２の指標（例えば、ジョグダイアル）を表示することにより、ディスプレイ等の表示部の大きさに関わらず、直線方向のスライドによる操作制限がなく、従来よりも容易に再生位置を調整することが可能になる。また、スライド操作後の停止位置に基づいて、操作感度の異なる第２の指標（ジョグダイアル）を表示することで、異なるレベルで再生位置の調整が可能になる。
【図面の簡単な説明】
【００１４】
【図１】本発明の第１の実施例に係る車載装置の構成例を示すブロック図である。
【図２】表示部に再生データが表示されるときの再生バーとポインターの一例を示す図である。
【図３】本発明の第１の実施例に係る再生制御プログラムの機能的な構成例を示す図である。
【図４】本発明の第１の実施例に係るジョグダイアルの表示例を示す図である。
【図５】本発明の第１の実施例に係る再生制御動作を説明するフローチャートである。
【図６】第１の実施例に係るユーザーの操作例と第１および第２の指標との関係を示す図である。
【図７】第１の実施例に係るユーザーの操作例と第１および第２の指標との関係を示す図である。
【図８】第１の実施例に係るユーザーの操作例と第１および第２の指標との関係を示す図である。
【図９】本発明の第２の実施例に係る再生制御プログラムの機能的な構成例を示す。
【図１０】Ｙ方向スライド操作時の停止位置の判定例を示す図である。
【図１１】第２の実施例に係る停止位置と操作感度との関係を規定するテーブルを示す図である。
【図１２】本発明の第２の実施例に係る再生制御動作を説明するフローチャートである。
【図１３】第２の実施例によるジョグダイアルの表示を例示する図である。
【図１４】従来技術における、タッチパネル機能を備えた表示部に、動画等の再生位置の総量を示すバーと、動画の再生位置を表すポインターが表示されている様子を示す図である。
【図１５】従来技術における、再生位置の調整操作を示す図である。
【発明を実施するための形態】
【００１５】
次に、本発明の実施の形態について図面を参照して詳細に説明する。本発明の実施の形態に係る電子装置は、車両等の移動体内に搭載される車載装置、または車両等に持ち込むことができる携帯端末であることができる。携帯端末は、例えば、多機能型携帯電話機（スマートフォン）、タブレット型端末、携帯型パーソナルコンピューターであることができる。さらに電子装置は、ユーザーの指等の物体の接近または接触により入力することができるタッチパネル入力機能を備えた表示装置を備える。また、電子装置は、種々の機能を有することができ、例えば、ナビゲーション機能、オーディオ・ビデオデータを再生する機能、テレビ・ラジオを受信する機能、データ通信機能などを備えることが可能である。
【実施例】
【００１６】
次に、本発明の第１の実施例について説明する。図１は、第１の実施例に係る車載装置の構成例を示すブロック図である。第１の実施例に係る車載装置１０は、入力部１００、位置情報算出部１１０、ナビゲーション部１２０、マルチメディア再生部１３０、表示部１４０、音声出力部１５０、記憶部１６０、通信部１７０、および制御部１８０を含んで構成される。但し、この構成は一例である。
【００１７】
入力部１００は、入力キーデバイス、音声認識入力装置、タッチパネルなどにより、ユーザーからの指示を受け取り、これを制御部１８０へ提供する。位置情報算出部１１０は、ＧＰＳ衛星から送信されるＧＰＳ信号、車両に搭載されるジャイロセンサや加速センサのセンサ出力に基づき自車の現在地を算出する。ナビゲーション部１２０は、例えば、現在地から目的地までの経路を探索し探索経路の案内をしたり、自車位置周辺の道路地図を表示部１４０に表示したりさせる。
【００１８】
マルチメディア再生部１３０は、ＤＶＤ、ＣＤ、ブルーレイディスク、半導体メモリ、ハードディスク装置等の記録媒体に記憶された映像データ、オーディオデータ等を読み取り、これを再生し、表示部１４０や音声出力部１５０に出力させる。表示部１４０は、タッチパネル機能を備えた液晶ディスプレイやその他の表示装置を含み、例えば、ナビゲーション部１２０によって生成された道路地図の画像を表示したり、マルチメディア再生部１３０で再生された動画などを表示する。表示部１４０には、動画等が再生されるとき、再生するデータの再生時間の総量を表す再生バーや、再生するデータの再生位置を調整するためのポインターが表示される。具体的には、図２に示すように、表示部１４０の底部に、再生するデータの全量を示す再生バー１４２と、データの再生位置を示すポインター１４４が表示される。ユーザーは、ポインター１４４を再生バー１４２上でスライド操作することで、再生する映像のコマ送りやコマ戻しを入力することができる。また、図２には図示されないが、データの再生、停止、一時停止等の操作を入力する操作ボタンも表示される。
【００１９】
音声出力部１５０は、ナビゲーション部１２０が実行されたときに交差点等の案内を音声出力したり、マルチメディア再生部１３０で再生されたオーディオデータの音声を出力したりする。
【００２０】
通信部１６０は、近距離無線通信、ＵＳＢケーブル、その他の通信機器を包含することができ、スマートフォンなどの外部機器やクラウドサーバーとの通信接続を可能にする。例えば、クラウドサーバーからマルチメディアデータをダウンロードしたり、スマートフォンなどの外部機器で再生された映像データ、オーディオデータ等を通信部１６０を介して取得する。
【００２１】
記憶部１７０は、車載装置１０が実行するアプリケーションソフトウエア、制御部１８０が実行するプログラム、その他種々のデータを記憶することができる。例えば、ナビゲーション部１２０が実行されるときに必要とされる地図データやマルチメディア再生部１３０で再生されるデータ等を記憶することができる。また、動画等を再生するときに表示される再生バーやポインター等の画像データを記憶することができる。制御部１８０は、好ましい態様では、ＲＯＭ、ＲＡＭなどを含むマイクロコントローラ等から構成され、ＲＯＭまたはＲＡＭは、車載装置１０の各部の動作を制御するための種々のプログラムを格納することができる。第１の実施例では、動画等の再生位置等を制御する再生制御プログラム２００を含む。
【００２２】
図３は、第１の実施例に係る再生制御プログラムの機能的な構成例を示す図である。再生制御プログラム２００は、再生されるデータ（以下、再生データという）が表示部１４０に表示されたことを検知する再生データ検知部２１０、再生データの表示が検知されたとき、再生バー再生位置を表すポインター等の第１の指標を表示する第１指標表示部２２０、Ｘ方向のスライド操作を検出するＸ方向スライド操作検出部２３０、第１の指標からのＹ方向のスライド操作を検出するＹ方向スライド操作検出部２４０、Ｙ方向へのスライドが行われたときの停止時間を測定する停止時間測定部２５０、Ｙ方向スライド操作検出部２４０の検出結果および停止時間測定部２５０の測定結果に基づきジョグダイアル等の第２の指標を表示する第２指標表示部２６０、第２指標が表示されたときのユーザーの円形スライド操作を検出する円形スライド操作検出部２７０、および再生するデータの再生位置を調整する再生位置調整部２８０を含んで構成される。
【００２３】
再生データ検出部２１０は、マルチメディア再生部１３０や通信部１６０を介してデータの再生が行われるとき、これを検知し、この検知結果を第１指標表示部２２０へ提供する。第１指標表示部２２０は、この検出結果を受け取ると、図２に示すような再生バー１４２やポインター１４４等の第１の指標を表示部１４０に表示する。
【００２４】
Ｘ方向スライド操作検出部２３０は、第１の指標である再生バーやポインターへのタッチおよびスライド操作を検出する。例えば、図２において、再生バー１４２上でユーザーの手Ｕのタッチやスライドが検出されると、その検出結果が第１指標表示部２１０および再生位置調整部２８０へ提供される。第１指標表示部２１０は、Ｘ方向スライド操作検出部２３０の検出結果に基づきポインター１４４をスライドさせ、かつ再生位置調整部２８０は、マルチメディア再生部１３０に、Ｘ方向のスライド位置に応じた再生位置から再生データを再生させる。また、ユーザーが再生バー１４２のポインター１４４が存在しない位置をタッチした場合には、第１指標表示部２１０は、タッチされた位置にポインター１４４をジャンプさせ、マルチメディア再生部１３０に、当該タッチ位置に応じた再生位置から再生データを再生させる。
【００２５】
Ｙ方向スライド操作検出部２４０は、第１の指標が表示されているとき、ユーザーのＹ方向のタッチおよびスライド操作を検出する。例えば、図２に示す再生バー１４２およびポインター１４４が表示されているとき、ポインター１４４を始点とする、再生バー１４２上からＹ方向のスライド操作を検出する。Ｙ方向スライド操作検出部２４０の検出結果は、停止時間測定部２５０、第２指標表示部２６０および再生位置調整部２８０へ提供される。
【００２６】
時間測定部２５０は、Ｙ方向スライド操作検出部２４０によるＹ方向のスライドが検出されたとき、Ｙ方向のスライドの終了された位置での停止時間が測定される。この測定時間は、第２指標表示部２６０へ提供される。
【００２７】
第２指標表示部２６０は、Ｙ方向スライド操作検出部２４０によりＹ方向のスライド操作が検出され、かつ停止時間測定部２６０により停止時間が閾値よりも大きいとき、再生位置を調整するための第２の指標を表示する。第２の指標は、好ましくは、円形スライド操作によりポインターの微細な移動を制御することができるジョグダイアルである。図４にジョグダイアルを例示する。ジョグダイアル１４６は、矩形状の背景画像１４８内に表示され、ユーザーに円形方向の操作を促すようなガイド表示を含む。ジョグダイアル１４６に沿う円形方向のスライド操作により、ポインター１４４を前後に移動させることができる。
【００２８】
円形スライド操作検出部２７０は、第２の指標が表示されているとき、ジョグダイアル１４６上のタッチおよびスライド操作を検出する。この検出結果は、第１指標表示部２２０および再生位置調整部２８０等に提供される。ジョグダイアル１４６に沿って時計方向のスライド操作が検出されたとき、第１指標表示部２２０は、ポインター１４４をＸ軸の右方向に動かし、再生位置調整部２８０は、ポインター１４４の位置に応じた再生位置の調整を行う。また、反時計回のスライド操作が検出されたとき、ポインター１４４をＸ軸の左方向に移動させる。ジョグダイアル１４６による解像度は任意であり、例えば、ジョグダイアル１４６の１周の再生時間をｎ秒に設定したり、あるいは、表示部１４０の画面の左端の縦方向の解像度の１／ｎに設定することも可能である。
【００２９】
次に、本実施例の再生動作の制御について説明する。図５は、第１の実施例に係る再生制御動作を示すフロー図である。ここでは、マルチメディア再生部１３０によって動画が再生されるものとする。先ず、再生データ検知部２１０により、マルチメディア再生部１３０によるデータの再生が検知されると（Ｓ１００）、第１指標表示部２２０は、図２に示すように、再生データの総量を示す再生バー１４２および再生位置を表すポインター１４４を表示部１４０に表示する（Ｓ１０２）。この状態で、スライド操作の有無が監視され、スライド操作が検出されたとき、当該スライド操作が再生バー１４２上のＸ方向のスライドか、あるいは再生バー１４２のポインター１４４を始点とするＹ方向のスライドかが判別される（Ｓ１０４）。この判別は、Ｘ方向スライド操作検出部２３０およびＹ方向スライド操作検出部２４０の検出結果に基づき行われる。図６は、ユーザーの手Ｕがポインター１４４を始点にＹ方向へスライドされるときの一例を示している。Ｘ方向のスライドが検出された場合には、従来と同様に、Ｘ方向のスライド操作に応じてポインター１４４が移動され（Ｓ１０６）、ポインター１４４が停止した再生位置から再生が開始される（Ｓ１０８）。
【００３０】
一方、Ｙ方向のスライドが検出された場合には（Ｓ１０４）、停止時間測定部２５０により、Ｙ方向のスライドの終了地点での停止時間が測定される（Ｓ１１０）。図７は、ポインター１４４からＹ方向に距離Ｌ１だけスライドされたときの一例を示している。ユーザーの手ＵがＹ方向に停止したときの位置Ｑにおいて、その停止時間が計測される。
【００３１】
Ｙ方向スライドの停止時間が閾値以上であるとき（Ｓ１１２）、第２指標表示部２６０は、停止位置近傍にジョグダイアルを表示する（Ｓ１１４）。図８は、停止位置近傍にジョグダイアルが表示された一例を示している。停止時間が閾値を越えない場合には、従来の図１４、図１５に示すような処理に従い、ポインター１４４が移動され（Ｓ１０６）、再生位置が調整されるか（Ｓ１０８）、あるいは、Ｙ方向スライドの検出結果はキャンセルされる。
【００３２】
ジョグダイアルが表示されると、次に、円形スライド操作検出部２７０は、ジョグダイアルに沿うような時計方向または反時計方向の円形スライド操作を検出する（Ｓ１１６）。もし、一定時間内に円形スライドが検出されない場合には、ジョグダイアルを消去し、Ｙ方向スライドの検出結果をキャンセルにしてもよい。円形スライド操作が検出されると、そのスライド操作に応じてポインター１４４が前後に移動され（Ｓ１０６）、ポインター１４４が停止した再生位置から再生が開始される（Ｓ１０８）。
【００３３】
このように第１の実施例では、第２指標表示部２６０によって表示された円形のジョグダイアルをタッチ／スライド操作することにより、再生データの再生位置を任意にかつ詳細に調整することができる。例えば、図１５（Ｂ）に示したように、画面の左端Ｐｙに到達したときの距離Ｒ４の移動距離による制限がなくなり、目的とする再生位置Ｐ３へポインターを容易に移動させ、そこから再生を開始させることができる。
【００３４】
また、上記の説明では、マルチメディア再生部１３０がデータを再生する例を示したが、これに限らず、例えば、通信部１６０を介して外部から取得した映像等のストリームデータをバッファ等に蓄積し、これを再生する場合にも本実施例のようにジョグダイアルによる再生位置の微細な調整を行うことが可能である。また、映像データに限らず、オーディオデータの再生時においても、再生バー１４２やポインター１４４が表示されるものであれば、本実施例のようなジョグダイアルによる再生位置の微細な調整が可能である。
【００３５】
次に、本発明の第２の実施例について説明する。第１の実施例では、Ｙ方向スライド操作の停止位置の停止時間が閾値を越えるときジョグダイアルを表示する例を示したが、第２の実施例では、Ｙ方向スライド操作の停止位置に基づき、操作感度の異なる複数のジョグダイアルを表示する。操作感度とは、再生データの再生位置を調整する際の解像度を意味するものであり、例えば、円形スライド操作をしたときの一定の回転角（または１周）に対するコマ送り／戻しの時間が「１／１０秒」、「１／５０秒」、「１／１００秒」のように異なることを意味する。
【００３６】
図９は、第２の実施例による再生制御プログラム２００Ａの機能的な構成を示す。第２の実施例では、第１の実施例のときの構成に加えて、停止位置測定部２５２および操作感度決定部２５４が追加されている。停止位置測定部２５２は、再生バーからＹ方向へスライド操作されたときの終了位置、つまり停止位置を測定する。操作感度決定部２５４は、停止位置測定部２５２による測定結果に基づき操作感度を決定し、この決定結果を第２指標表示部２６０へ提供する。第２指標表示部２６０は、決定された操作感度に従いジョグダイアルを選択し、選択したジョグダイアルを表示する。例えば、操作感度が高ければ、直径の大きなジョグダイアルが選択され、操作感度が低ければ、直径の小さなジョグダイアルが選択され、あるいは、同じ大きさのジョグダイアルであってもよく、その場合には、設定により操作感度を変更するようにしてもよい。
【００３７】
好ましい態様として、停止位置測定部２５２は、停止位置が画面上のＹ方向の複数の領域のいずれに属するかを判別する。例えば、図１０に示すように、表示部１４０を、「領域Ａ」、「領域Ｂ」、「領域Ｃ」の３つの領域に分割し、停止位置測定部２５２は、停止位置が領域Ａ、Ｂ、Ｃのいずれに属するかを判別する。操作感度決定部２５４は、領域Ａ、Ｂ、Ｃに基づき操作感度を決定することができる。図１１は、領域Ａ、Ｂ、Ｃと操作感度との関係を示すテーブルの一例である。同図に示すように、領域Ａには、ジョグダイアルＡが割り当てられ、この操作感度は、円形スライドの一定の回転角（または１周）に対し１／１０秒の再生時間のコマ送りまたはコマ戻しである。領域Ｂは、領域Ａよりも操作感度が高く、領域Ｃは、領域Ｂよりも操作感度が高く設定される。また、ジョグダイアルＡを表示するときの背景表示色は青であり、ジョグダイアルＢを表示するときの背景表示色は緑色であり、背景表示色を異ならせることで、ジョグダイアルの大きさが仮に同一であったとしても、操作感度が異なることを視認することができる。
【００３８】
図１２は、第２の実施例に係る再生制御の動作を説明するフローチャートである。ここで、第１の実施例のときの動作（ステップＳ１００〜Ｓ１１６）は、同様の処理であるため、説明を割愛する。第２の実施例では、停止時間測定部２５０によって測定された停止時間が閾値以上であるとき（Ｓ１１２）、停止位置測定部２５２によって、Ｙ方向スライド操作の該停止位置の座標が測定され（Ｓ２００）、その測定結果に基づき、操作感度決定部２５４が操作感度を決定する（Ｓ２１０）。第２指標表示部２６０は、決定された操作感度に従い選択されたジョグダイアルを表示し（Ｓ１１４）、ジョグダイアルに沿う円形スライドの検出結果および操作感度に基づきポインターが前後に移動され（Ｓ１０６）、その位置から再生が開始される（Ｓ１０８）。
【００３９】
図１３は、第２の実施例による操作感度に応じて選択されたジョグダイアルの表示を例示する。Ｙ方向スライドの停止位置が領域Ａである場合には、ジョグダイアル１４６および青色の背景表示１４８Ａが表示され、停止位置が領域Ｂである場合には、ジョグダイアル１４６および緑色の背景表示１４８Ｂが表示され、停止位置が領域Ｃである場合には、ジョグダイアル１４６および赤色の背景表示１４８Ｃが表示される。
【００４０】
このように第２の実施例によれば、Ｙ方向スライドの停止位置に応じて操作感度の異なるジョグダイアルを選択することができる。なお、上記実施例では、画面の領域を３つに分割し、それに応じて３つの操作感度を決定したが、これに限らず、再生バーからＹ方向の停止位置までの距離と操作感度との関係式、例えば、操作感度＝α×距離のような数式によって規定することも可能である（αは、係数）。
【００４１】
また、第２の実施例において、領域ＡでジョグダイアルＡを表示した後、更なるＹ方向スライド操作により領域Ｂでスライド操作を停止した場合には、ジョグダイアルＢを表示したり、反対に、領域ＢでジョグダイアルＢを表示した後、更なるＹ方向スライド操作により領域Ａでスライド操作を停止した場合には、ジョグダイアルＡを表示するようにしてもよい。
【００４２】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００４３】
１：表示部                              ２：再生バー
３：ポインター                          ４：指示体
５：矢印                                ６：矢印
１０：車載装置                        １００：入力部
１１０：位置情報算出部                  １２０：ナビゲーション部
１３０：マルチメディア再生部            １４０：表示部
１４２：バー                            １４４：ポインター
１４６：ジョグダイアル                  １４８：背景表示
１４８Ａ：青色の背景表示                １４８Ｂ：緑色の背景表示
１４８Ｃ：赤色の背景表示                １５０：音声出力部
１６０：通信部                          １７０：記憶部
１８０：制御部                          ２００：再生制御プログラム
２１０：再生データ検知部                ２２０：第１指標表示部
２３０：Ｘ方向スライド操作検出部        ２４０：Ｙ方向スライド操作検出部
２５０：停止時間測定部                  ２５２：停止位置測定部
２５４：操作感度決定部                  ２６０：第２指標表示部
２７０：円形スライド操作検出部          ２８０：再生位置調整部
Ｌ１：距離                            Ｐ１、Ｐ２、Ｐ３：再生位置
Ｒ１、Ｒ２、Ｒ３、Ｒ４、Ｒ５：距離      Ｕ：手
【図１】
2016218764.tif 000003
【図２】
2016218764.tif 000004
【図３】
2016218764.tif 000005
【図４】
2016218764.tif 000006
【図５】
2016218764.tif 000007
【図６】
2016218764.tif 000008
【図７】
2016218764.tif 000009
【図８】
2016218764.tif 000010
【図９】
2016218764.tif 000011
【図１０】
2016218764.tif 000012
【図１１】
2016218764.tif 000013
【図１２】
2016218764.tif 000014
【図１３】
2016218764.tif 000015
【図１４】
2016218764.tif 000016
【図１５】
2016218764.tif 000017